(57)【要約】【課題】脚杆の長さを容易に変えることができ、流通段階では商品形態をコンパクトにでき、製品として使用するときには物干し用横桟の高さを自由に設定することができる物干し具を提案する。【解決手段】２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、下部脚杆が回動継手に固着され、上部脚杆は下部脚杆の内径より小径となされて、上部脚杆は下部脚杆に伸縮自在に挿入され、前記回動継手は回動軸を中心に第１の回動継手片と第２の回動継手片が連結され、継手片に設けられた脚杆取付部が回動軸から少なくとも脚杆の外径だけ離間されていることを特徴とするもので、脚杆の伸縮ができるので、物干し用横桟の高さを容易に変更することができる。【選択図】        図１
2005348908.tif 000002
【特許請求の範囲】
【請求項１】
２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、下部脚杆が回動継手に固着され、上部脚杆は下部脚杆の内径より小径となされて、上部脚杆は下部脚杆に伸縮自在に挿入され、前記回動継手は回動軸を中心に第１の回動継手片と第２の回動継手片が連結され、継手片に設けられた脚杆取付部が回動軸から少なくとも脚杆の外径だけ離間されていることを特徴とする物干し具。
【発明の詳細な説明】
【技術分野】
【０００１】
本発明は、２本の脚杆が回動継手によりＸ形状に交差軸着されて開閉回動可能となされた脚体が相対向して左右一対設けられ、該一対の脚体の各脚杆上端部間に物干し用横桟が架設された物干し具に関する。
【背景技術】
【０００２】
【特許文献１】特開２００２−３７００００号公報
【特許文献２】特開平１０−５７６９４号公報  従来、特開２００２−３７００００号公報に於いて、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、上部脚杆又は下部脚杆のいずれか一方が回動継手に固着され、他の一方が使用時に回動継手に固着されるようになされたことを特徴とする物干し具を本出願人は提案している。
【０００３】
又、特開平１０−５７６９４号公報に於いて、２本の脚杆が回動継手によりＸ形状に交差軸着されて開閉自在となされた脚体が相対向して左右一対設けられ、該一対の脚体の各脚杆上端部間に物干し用横桟が架設され、上記回動継手は円盤部と脚杆挿通部とが背中合わせになされた２個の継手片からなり、円盤部には相対向面にそれぞれ隆起段部が形成され、それぞれの隆起段部の側壁が互いに接合分離自在となるごとく２個の継手片が軸着され、互いに円周方向に可逆的に回動自在となされた物干し具を本出願人は提案している。
【発明の開示】
【発明が解決しようとする課題】
【０００４】
しかしながら上記の如き特開２００２−３７００００号公報に提案されている物干し具に於いては、脚杆が流通段階で分離可能とされているためパッケージサイズがコンパクトにできるものの、製品のサイズを変更することができなかった。
【０００５】
又、特開平１０−５７６９４号公報に提案されている物干し具に於いては、上記問題に加えて、脚杆は回動継手に設けられた脚杆挿通部を貫通して設けられているので、この製品のパッケージサイズが大きく、物干し台が製造されてから使用者の手にはいるまで、流通在庫に於いて、嵩高いという問題があった。
【０００６】
そこで本発明者は従来の欠点に鑑み鋭意研究の結果、脚杆の長さを容易に変えることができるので、流通段階では商品形態をコンパクトにでき、製品として使用するときには物干し用横桟の高さを自由に設定することができる物干し具を提案する。
【課題を解決するための手段】
【０００７】
本発明物干し具は、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、下部脚杆が回動継手に固着され、上部脚杆は下部脚杆の内径より小径となされて、上部脚杆は下部脚杆に伸縮自在に挿入され、前記回動継手は回動軸を中心に第１の回動継手片と第２の回動継手片が連結され、継手片に設けられた脚杆取付部が回動軸から少なくとも脚杆の外径だけ離間されていることを特徴とするもので、脚杆の伸縮ができるので、物干し用横桟の高さを容易に変更することができる。
【発明の効果】
【０００８】
上述の如く、本発明物干し具は、２本の脚杆が回動継手によりＸ形状に交差軸着されて開閉自在となされた脚体が、相対向して左右一対設けられ、該一対の脚体の各脚杆上端部間に物干し用横桟が架設されてなる物干し具に於いて、脚杆が上部脚杆と下部脚杆からなり、下部脚杆が回動継手に固着され、上部脚杆は下部脚杆の内径より小径となされて、上部脚杆は下部脚杆に伸縮自在に挿入され、前記回動継手は回動軸を中心に第１の回動継手片と第２の回動継手片が連結され、継手片に設けられた脚杆取付部が回動軸から少なくとも脚杆の外径だけ離間されているので、脚杆が伸縮でき、流通段階で商品をコンパクトにできるだけでなく、使用時に物干し用横桟の高さを自由に設定することができる。
【発明を実施するための最良の形態】
【０００９】
以下、図面を参照しながら本発明に付いて説明する。
図１は本発明物干し具の実施形態の一例を示す斜視図である。
図面において１は脚体であって、図１の如く所定間隔をおいて左右一対設けられている。脚体１は２本の脚杆１１，１２がＸ形状に交差され、該交差部分において回動継手２により開閉回動可能に軸着されたものである。脚杆１１、１２は上部脚杆１１１、１２１と下部脚杆１１２、１２２から構成され、下部脚杆１１２、１２２は回動継手に固着され、上部脚杆は下部脚杆の内径より小径で下部脚管内に挿入され伸縮自在となされている。脚杆１１、１２としては、金属管、合成樹脂被覆金属管等から作製されたパイプが一般的に使用される。
【００１０】
脚杆１１、１２の上端部間には物干し用横桟１４、１４が架設される。通常はエルボ状の継手１３を介して脚杆１１、１２と横桟１４、１４が接続されるが、脚杆１１、１２または横桟１４、１４のいずれかの端部をほぼ直角に曲折して直接嵌合するようにしてもよい。該物干し用横桟１４、１４も金属管、合成樹脂被覆金属管等から作製されたパイプが使用される。
【００１１】
脚杆１１、１２は前記したように伸縮可能となされているので、適宜高さに設定して使用される。脚杆の長さは同じ長さでもよいが、長いものと短いものとの組合せにすれば横桟１４、１４の高さが異なり、干し物の日当たりが良好となり好ましい。また、物干し用横桟１４は１本の管体であってもよいが、大径管と小径管とからなり、大径管の端部に小径管の端部が挿入されて伸縮自在となされ、物干し具全体が幅方向に伸縮可能となされていてもよい。さらに、物干し用横桟１４にはハンガー掛け用孔やピンチ掛け用フックが複数個設けられた横長の板状体が下向きに設けられていてもよい。該板状体は段違いの物干し用横桟１４、１４の両方に設けられていてもよいが、横桟１４、１４に高低差がある場合、高い方の横桟１４にのみ設けられていていると丈の長い衣類等をハンガーに掛けたまま干せ、好都合である。
【００１２】
次に本発明物干し具の要部である回動継手２と脚杆１１の固着状態の一例について説明する。
図２は一部透視した要部の正面図であり、回動継手２は内側継手片２１と外側継手片２２からなり、それぞれの継手片は円盤部２１１、２２１とこの円盤部の表面に設けられた脚杆挿入部２１２、２２２からなり、中心を貫通された軸３により回動自在に軸着されている。脚嵌挿入部２１２、２２２は軸２３と位置がずらされており、脚杆挿入部２１２、２２２の下側挿入部には下部脚杆１１２、１２２が挿入され、脚杆挿入部２１２、２２２の上側挿入部には上部脚杆１１１、１２１が挿入され、上部脚杆１１１、１２１は下部脚杆内１１２、１２２に伸縮自在に挿入されている。又、上部脚杆１１１、１２１の伸縮は上側挿入部の上端に設けられた係止ネジ５により、規制される。
【００１３】
内側継手片３、外側継手片４はそれぞれ円盤部３１、４１と脚杆挿入部３２、４２とが背中合わせになされ、脚杆挿入部３２、４２にそれぞれ脚杆１１，１２が上下から挿入固定される。内側継手片の回動方向は図１に示すように同一方向になされれば、脚杆を折り畳んで収納したときに脚杆が平行状態になるのでコンパクトになる。
【００１４】
下部脚杆の上端には第１の物干し枠３と第２の物干し枠４が設けられている。第１の物干し枠３は、腕部３１の先端に物干し桟３２が設けられている。第２の物干し枠４は、腕部４１に複数の物干し桟４２が設けられている。第１の物干し枠３は、ハンガーに掛けたシャツなどの比較的大型の洗濯物を干すのに好適であり、第２の物干し枠４は、タオルなどの比較的小型の洗濯物を多数干すのに好適である。
【図面の簡単な説明】
【００１５】
【図１】本発明物干し具の実施形態の一例を示す斜視図である。
【図２】図１は回動継手の近傍の正面図である。
【符号の説明】
【００１６】
１      脚体
１１    脚杆
１１１  上部脚杆
１１２  下部脚杆
１２    脚杆
１２１  上部脚杆
１２２  下部脚杆
１３    継手
１４    横桟
２      回動継手
２１    内側継手片
２１１  円盤部
２１２  脚杆挿入部
２２    外側継手片
２２１  円盤部
２２２  脚杆挿入部
２３    軸
３      第１の物干し枠
３１    腕部
３２    物干し桟
４      第２の物干し枠
４１    腕部
４２    物干し桟
５      係止ネジ
【図１】
2005348908.tif 000003
【図２】
2005348908.tif 000004